(57)【要約】【課題】  組合せプロセスが簡単であり、転がり体の装入時間が短縮でき、且つ転がり体を装入する作業の困難度がスライダの寸法に影響されない、組合せ式エンドカバーを持つリニアガイドウェーとその組合せ方法を提供すること。【解決手段】  エンドカバー組の構造は、主に台座及び外蓋を含み、且つエンドカバー組内の循環通路は、オープン通路と、回転通路とに分けられ、これにより、転がり体がエンドカバーを通過し循環にロールできる、組合せ式エンドカバーを持つリニアガイドウェーとその組合せ方法である。【選択図】図１
2005127474.tif 000002
【特許請求の範囲】
【請求項１】
特定の長さを有し、両側の表面には、本体と平行するロール溝が設けてある一本の軌条と、
前記軌条に嵌め合ってスライドし、その内部には、前記軌条に設けたロール溝と合うためのロール溝が設けてある一つのスライダと、
前記スライダと軌条との間の摩擦力を低減するために、前記軌条とスライダの間にあるロール溝に置かれる多数の転がり体と、
前記スライダの両端に設置され、前記転がり体が循環にロールするための完備な循環通路がその内部に設けてある一つのエンドカバー組と、を少なくとも含む組合せ式エンドカバーを持つリニアガイドウェーにおいて、
前記エンドカバー組は台座及び外蓋を含み、
前記台座には、転がり体がスライダ内に快速に装入できるための流動案内口が、少なくとも二組が設けてあり、
前記外蓋は台座の外側で設置され、外蓋には、前記流動案内口と合い、前記転がり体が循環にロールするための完備な循環通路を構成するための回転通路が、少なくとも二つが設けてあることを特徴とする、
組合せ式エンドカバーを持つリニアガイドウェー。
【請求項２】
前記スライダ内には、転がり体の脱落を防止するための転がり体ホルダーが設けてあり、前記台座は、転がり体ホルダーを定位する機能を有することを特徴とする、請求項１に記載の組合せ式エンドカバーを持つリニアガイドウェー。
【請求項３】
前記外蓋の台座と合う側面には定位ピンが設けてあり、前記台座の定位ピンと対応する箇所では定位孔が設けてあり、これにより、前記外蓋と台座は、ズレなしで安定に結合する組合せになることができることを特徴とする、請求項１に記載の組合せ式エンドカバーを持つリニアガイドウェー。
【請求項４】
前記台座の外側にある各組の流動案内口の間には、外蓋に設けた回転通路に合うための案内曲面が設けてあり、これにより、転がり体が前記回転通路を順調にロールすることができることを特徴とする、請求項１に記載の組合せ式エンドカバーを持つリニアガイドウェー。
【請求項５】
台座及び外蓋をスライダの一端に取り付け、
スライダを旋回してもう一つの台座をスライダの他端に取り付けた後、前記台座の外側に設ける流動案内口から、転がり体をスライダ内に装入し、
転がり体の装入が完成した後、前記台座の外側にもう一つの外蓋を取り付けることにより、完備な循環通路を完成することを特徴とする、
請求項１における組合せ式エンドカバーを持つリニアガイドウェーの転がり体の組合せ方法。
【発明の詳細な説明】
【技術分野】
【０００１】
本発明は組合せ式エンドカバーを持つリニアガイドウェーとその組合せ方法に係り、特にリニアガイドウェーのエンドカバーを改良し、転がり体がエンドカバーを通過し循環にロールできる組合せ式エンドカバーを持つリニアガイドウェーとその組合せ方法に関する。
【背景技術】
【０００２】
図７に示すのは、従来のリニアガイドウェーの構造であり、前記リニアガイドウェーは、主に、一本の軌条（図示省略）と、一つのスライダ２０と、二組のエンドカバー６０とから構成され、前記二組のエンドカバー６０は、エンドカバー本体６１と、案内部材６２とから構成され、そうすると、転がり玉（図示省略）が循環にロールできる。
【発明の開示】
【発明が解決しようとする課題】
【０００３】
前記した従来の組合せ式エンドカバーを持つリニアガイドウェーとその組合せ方法にあっては、転がり玉は、スライダ２０のコ字形の内側面から装入することが必要で、且つ一個一個装入することが必要なため、手数が極めてかかり、さらにリニアガイドウェーが小寸法の場合には、転がり球の装入がもっと困難となり、生産効率が非常に低くなるため、製造コストが無駄に増加し、製品の競争力が強くない、という問題があった。
【０００４】
そこで、本発明は、リニアガイドウェーのエンドカバーを改良することにより、その組合せプロセスを簡単化し、組合せ時間を短縮し、ひいては製造コストを降下できる組合せ式エンドカバーを持つリニアガイドウェーを提供することを、目的とする。
【０００５】
さらに、リニアガイドウェーの組合せ効率が向上でき、組合せ時間を大幅に短縮できる組合せ式エンドカバーを持つリニアガイドウェーを提供することを目的とする。
【課題を解決するための手段】
【０００６】
上記目的を達成するためになされた本願の発明は、特定の長さを有し、両側の表面には、本体と平行するロール溝が設けてある一軌条と、前記軌条に嵌め合ってスライドし、その内部には、前記軌条に設けたロール溝と合うためのロール溝が設けてある一スライダと、前記スライダと軌条との間の摩擦力を低減するために、前記軌条とスライダの間にあるロール溝に置かれる多数の転がり体と、前記スライダの両端に設置され、前記転がり体が循環にロールするための完備な循環通路がその内部に設けてある一エンドカバー組と、を少なくとも含む組合せ式エンドカバーを持つリニアガイドウェーにおいて、前記エンドカバー組は台座及び外蓋を含み、前記台座には、転がり体がスライダ内に快速に装入できるための流動案内口が、少なくとも二組が設けてあり、なお、前記外蓋は台座の外側で設置され、且つ外蓋には、流動案内口と合い、前記転がり体が循環にロールするための完備な循環通路を構成するための回転通路が、少なくとも二つが設けてあることを特徴とする組合せ式エンドカバーを持つリニアガイドウェーであることを要旨としている。
【０００７】
本願の発明では、該当スライダ内には、転がり体の脱落を防止するための転がり体ホルダーが設けてあり、該当台座は、転がり体ホルダーを定位する機能を有することを特徴とする、前記の組合せ式エンドカバーを持つリニアガイドウェーであることを要旨としている。
【０００８】
本願の発明では、該当外蓋の台座と合う側面には定位ピンが設けてあり、なお、前記台座の定位ピンと対応する箇所では定位孔が設けてあり、これにより、前記外蓋と台座は、ズレなしで安定に結合する組合せになることができることを特徴とする、前記の組合せ式エンドカバーを持つリニアガイドウェーであることを要旨としている。
【０００９】
本願の発明では、当該台座の外側にある各組の流動案内口の間には、外蓋に設けた回転通路に合うための案内曲面が設けてあり、これにより、転がり体が前記回転通路を順調にロールすることができることを特徴とする、前記の組合せ式エンドカバーを持つリニアガイドウェーであることを要旨としている。
【００１０】
本願の発明では、台座及び外蓋をスライダの一端に取り付けて、スライダを旋回してもう一台座をスライダの他端に取り付けた後、前記台座の外側に設ける流動案内口から、転がり体をスライダ内に装入し、転がり体の装入が完成した後、前記台座の外側にもう一外蓋を取り付けることにより、完備な循環通路を完成することを特徴とする、前記における組合せ式エンドカバーを持つリニアガイドウェーの転がり体の組合せ方法であることを要旨としている。
【発明の効果】
【００１１】
本発明の組合せ式エンドカバーを持つリニアガイドウェーとその組合せ方法は、上記した課題を解決するための手段により、次のような効果の少なくとも一つを得ることができる。
＜１＞スライダの両端の外側から転がり体を装入できるため、組合せプロセスが簡単化し、且つ転がり体の装入時間が短縮できる。
＜２＞スライダのコ字形の内側面から転がり体を装入する必要がないため、転がり体を装入する作業の困難度が、スライダの寸法に影響されない。
【発明を実施するための最良の形態】
【００１２】
図１は本発明に係る組合せ式エンドカバーを持つリニアガイドウェーの分解斜視図である。本発明に係るリニアガイドウェーは、一つのスライダ２０を軌条１０に嵌め、前記スライダ２０の両端には別々に一つのエンドカバー組３０が設けてあり、前記エンドカバー組３０の内部には、転がり体（図示省略）を循環にロールするための完備な回転通路が設けてある。
なお、本発明に係るエンドカバー組３０の台座３１及び外蓋３２は、ネジ４０によってスライダ２０に螺着される。
【００１３】
図２は図１における台座３１の内側の平面図であり、図３は図１における台座３１の外側の平面図である。台座３１の内側は図１におけるスライダ３０と合い、台座３１には、転がり体（図示省略）がスライダ２０を出入りするための、一組以上の流動案内口３１１が設けてあり、且つネジを挿通して螺着するためのネジ穴３１２も設けてある。前記台座３１の外側面が図１における外蓋３２と合い、なお、前記台座３１の外側面には、外蓋３２との合いを精確に定位するための定位孔３１３が設けてあり、各組の流動案内口３１１の間には案内曲面３１４が設けてある。また、台座３１には、転がり体ホルダー（図示省略）を定位するために、上定位溝３１５と、側面定位溝３１６と、下定位溝３１７とが設けてある。また、台座３１の外側面の周縁には、転がり体５０を装入するときに転がり体５０が流動案内口３１１から落下しないために、適当な高さを有する外壁３１８が設けてある。
【００１４】
図４は図１における外蓋３２の内側の平面図であり、図５は図１における外蓋３２の外側の平面図である。外蓋３２の台座３１に設ける各組の流動案内口３１１と対応する箇所には、循環通路を構成して転がり体５０が循環にロールできるための回転通路３２１が設けてある。外蓋３２の台座３１に開けるネジ穴３１２と対応する箇所にも、ネジを挿通して螺着するためのネジ穴３２２が設けてある。また、台座３１の外側面に設ける定位孔３１３と合って精確に定位するために、外蓋３２の内側面には定位ピン３２３が設けてある。また、転がり体５０の衝撃を吸収するために、外蓋３２の材料は熱可塑性ポリエステルを採用しても良い。
【００１５】
図６は本発明に係るリニアガイドウェーの転がり体５０の組合せ方法を示す概略図である。リニアガイドウェーの転がり体５０の組合せ方法は、まず、エンドカバー組３０をスライダ２０の一端に取り付けて、スライダ２０を旋回してもう一つの台座３１をスライダ２０の他端に取り付けた後、前記台座３１の外側に設ける流動案内口３１１から、転がり体５０をスライダ２０内に装入し、転がり体５０の装入が完成した後、前記台座３１の外側にもう一つの外蓋３２を取り付けることにより、完備な循環通路が完成する。この組合せ方法は、リニアガイドウェーの組合せ効率を向上することができる。また、転がり体５０の装入は、自動装入機械を流動案内口３１１に合わせることにより、転がり体５０を快速で自動的にスライダ２０内に装入できるため、組合せ時間が大幅に短縮できる。
【図面の簡単な説明】
【００１６】
【図１】本発明に係る組合せ式エンドカバーを持つリニアガイドウェーの分解斜視図である。
【図２】図１における台座の内側の平面図である。
【図３】図１における台座の外側の平面図である。
【図４】図１における外蓋の内側の平面図である。
【図５】図１における外蓋の外側の平面図である。
【図６】本発明に係るリニアガイドウェーの転がり体の組合せ方法を示す概略図である。
【図７】従来のリニアガイドウェーを示す斜視図である。
【符号の説明】
【００１７】
１０        軌条                  ２０        スライダ
３０        エンドカバー組        ３１        台座
３１１      流動案内口            ３１２      ネジ穴
３１３      定位孔                ３１４      案内曲面
３１５      上定位溝              ３１６      側面定位溝
３１７      下定位溝              ３１８      外壁
３２        外蓋                  ３２１      循環通路
３２２      ネジ穴                ３２３      定位ピン
４０        ネジ                  ５０        転がり体
６０        エンドカバー組        ６１        エンドカバー本体
６２        案内部材
【図１】
2005127474.tif 000003
【図２】
2005127474.tif 000004
【図３】
2005127474.tif 000005
【図４】
2005127474.tif 000006
【図５】
2005127474.tif 000007
【図６】
2005127474.tif 000008
【図７】
2005127474.tif 000009